(57)【特許請求の範囲】
【請求項１】
複数の建物ユニットを並設することにより形成されるユニット建物であって、
前記各建物ユニットは、柱並びに上下に設けられる上梁及び下梁を備え、
鉛直方向に延びる柱部と、該柱部の上下両端からそれぞれ同一方向に延びる上下の梁部とを有する鉛直コ字状フレームを複数備え、
前記各鉛直コ字状フレームは、互いに離間して配置されており、前記上下の各梁部が前記建物ユニットに対して反対側を向くようにして当該建物ユニットの前記柱及び前記上下の各梁間に連結され、
対向する前記各鉛直コ字状フレームの梁部間には架設材が連結部材によって架け渡されており、
水平方向に延びる水平部と、該水平部の長さ方向両端からそれぞれ前記各鉛直コ字状フレームの各梁部と同一方向に延びる梁部とを有する水平コ字状フレームを備え、
対向する前記各鉛直コ字状フレームの梁部間には前記水平コ字状フレームが架け渡されており、
前記各鉛直コ字状フレーム、前記架設材及び前記水平コ字状フレームを含めて構成され、前記建物ユニットから張り出して設けられる張出し部を備えていることを特徴とするユニット建物。
【請求項２】
前記各鉛直コ字状フレームの上下梁部の先端側に前記架設材が掛け渡されており、
前記各鉛直コ字状フレームの上下梁部の基端側に前記水平コ字状フレームが掛け渡されていることを特徴とする請求項１に記載のユニット建物。
【請求項３】
上階側の建物ユニットと下階側の建物ユニットとを上下に隣接させて設けた多層階のユニット建物において、
前記鉛直コ字状フレームは、上階側及び下階側の各建物ユニットにおいて上下に連続する位置にそれぞれ設けられており、その上下の鉛直コ字状フレームにより上下各階に跨る張出し部が形成されている請求項１又は２に記載のユニット建物。
【請求項４】
前記鉛直コ字状フレームは、上階側及び下階側の各建物ユニットにおいて各々の柱に連結されている請求項３に記載のユニット建物。
【請求項５】
前記鉛直コ字状フレームは、上階側及び下階側の各建物ユニットにおいて各々の上下梁間に連結されている請求項３又は４に記載のユニット建物。
【請求項６】
前記上階側の建物ユニットに設けられる下梁のうち前記張出し部側の下梁と、前記下階側の建物ユニットに設けられる上梁のうち前記張出し部側の上梁とが設けられていない構成とした請求項３乃至５のいずれか１つに記載のユニット建物。
【発明の詳細な説明】
【技術分野】
【０００１】
本発明は、建物外側に張出し部を有するユニット建物に関する。
【背景技術】
【０００２】
住宅等の建物において、居住者のニーズに応じて居室空間を変化に富んだものとするために、出窓や張出し空間を設ける技術が知られている。複数の建物ユニットを互いに連結して構築されるユニット建物においても例外ではなく、そのようなニーズに対応することが求められている。
【０００３】
その対応として、例えば建物ユニットを小型化して建物本体に張り出すように取り付ける張出しユニットが提案されている。しかし、そのような張出しユニットでは前面の両コーナ部に柱があるため、開放感のある張出し空間を形成することができず好ましくない。
【０００４】
そこで、上記問題を解決しようとするものとして、上梁部、下梁部及び柱部を有する２つのコ字状フレームを水平方向に離間対向して配し、その上下の各梁部間にそれぞれ架設材を架け渡し、柱部を建物本体側に配置する張出しユニットが提案されている（例えば、特許文献１参照）。
【０００５】
これによれば、張出しユニットの前面の両コーナ部には柱がないため、開放感のある張出し空間を形成することができるものとされている。
【特許文献１】特開平６−４２０５２号公報
【発明の開示】
【発明が解決しようとする課題】
【０００６】
しかしながら、上記技術では、張出し部が張出しユニットとして構成されている。つまり、工場においてコ字状フレームや架設材等からなる骨格フレームに天井面材や床面材、外壁材等が取り付けられて張出しユニットが製造され、その張出しユニットが現場に搬入されて建物本体に設置されることとなる。この場合、顧客のニーズに合わせたサイズ設定が困難となり、顧客のニーズに対して十分に対応できないことがあり得ると考えられる。
【０００７】
本発明は、上記事情に鑑みてなされたものであり、設計の自由度を確保しつつ、開放感のある張出し部を備えたユニット建物を提供することを主たる目的とするものである。
【課題を解決するための手段】
【０００８】
本発明は、上記課題を解決するために、以下の手段を採用した。
【０００９】
手段１．複数の建物ユニット（建物ユニット１３〜１６）を並設することにより形成されるユニット建物であって、
柱部（柱部２２ａ）と、該柱部の上下両端からそれぞれ同一方向に延びる上下の梁部（上梁部２２ｂ、下梁部２２ｃ）とを有するコ字状フレーム（コ字状フレーム２２）を複数備え、
前記各コ字状フレームは、前記上下の各梁部が前記建物ユニットに対して反対側を向くようにして当該建物ユニットに連結され、
前記各コ字状フレームを含めて構成され、前記建物ユニットから張り出して設けられる張出し部（張出し部３０）を備えていることを特徴とするユニット建物。
【００１０】
手段１によれば、建物ユニットに対して上記のように連結されたコ字状フレームを含めて張出し部が構成されているため、張出し部の前面の両コーナ部には柱がない。これにより、開放感のある張出し部を形成することが可能となる。また、コ字状フレームの柱部の長さ寸法や建物ユニットへの連結箇所を変更すれば、張出し部のサイズを容易に変更することが可能となる。これにより、設計の自由度を確保しつつ、開放感のある張出し部を備えることができる。
【００１１】
手段２．前記各コ字状フレームは、互いに離間して前記建物ユニットに連結されており、対向する各コ字状フレームの梁部間には架設材（上鼻先梁２３、下鼻先梁２４、上補強梁２５、下補強梁２６）が架け渡されている手段１に記載のユニット建物。
【００１２】
手段２によれば、対応する梁部間に架設材が架け渡されているため、張出し部の剛性を向上させることが可能となる。
【００１３】
この場合、架設材は、直線状の水平部とその水平部の両端から同一方向へ延びる梁部とを有する水平コ字状フレーム（水平コ字状フレーム６３）として構成されていてもよい。そして、水平コ字状フレームの各梁部を離間した各コ字状フレームの梁部に当接させ、その当接部位にて例えばボルトにより連結することが好ましい。これにより、コ字状フレームと水平コ字状フレームとの連結状態が安定保持され、張出し部の剛性をより一層向上させることが可能となる。また、後述する手段３のような連結部材が不要となる利点もある。
【００１４】
手段３．前記架設材には、前記コ字状フレームとの連結を可能とする連結部材（アングル２８）が取り付けられ、その連結部材によって前記架設材が前記コ字状フレーム間に架け渡されている手段２に記載のユニット建物。
【００１５】
手段３によれば、架設材とコ字状フレームとが連結部材を介して連結されているため、架設材及びコ字状フレームに製造誤差が生じていた場合でも、その誤差を連結部材により吸収することができ、両部材を好適に連結することが可能となる。
【００１６】
手段４．前記各建物ユニットは、少なくとも柱（柱１７）を備えており、
前記コ字状フレームは、前記柱に連結されている手段１乃至３のいずれか１つに記載のユニット建物。
【００１７】
手段４によれば、コ字状フレームが建物ユニットの柱に設けられている。仮にコ字状フレームを上下の梁間に設けようとした場合、その連結部位が、建物ユニットの梁材との重なり部分に限定されるが、本手段では連結部位を広範に確保することができる。その結果、その連結状態を安定させることが可能となる。
【００１８】
手段５．前記各建物ユニットは、少なくとも上下に設けられる上梁（天井大梁１８）及び下梁（床大梁１９）を備えており、
前記コ字状フレームは、前記上下の各梁間に連結されている手段１乃至４のいずれか１つに記載のユニット建物。
【００１９】
手段５によれば、建物ユニットの上下の各梁間に設けられたコ字状フレームをその上下の梁に沿って連結箇所を変更することにより、張出し部の幅寸法を容易に変更することができる利点がある。このように張出し部の幅寸法を変更した場合でも、手段２との関係でいえば、変更された幅寸法に合う架設材を用い、その架設材を梁部間に架け渡すことにより張出し部を形成することが可能である。
【００２０】
手段６．上階側の建物ユニットと下階側の建物ユニットとを上下に隣接させて設けた多層階のユニット建物において、
前記コ字状フレームは、上階側及び下階側の各建物ユニットにおいて上下に連続する位置にそれぞれ設けられており、その上下のコ字状フレームにより上下各階に跨る張出し部が形成されている手段１乃至３のいずれか１つに記載の建物ユニット。
【００２１】
手段６によれば、上下の各建物ユニットにおいてコ字状フレームが上下に連続して設けられるため、これらコ字状フレームによって、上下の各建物ユニットに跨る大きな張出し部を形成することができ、その張出し部を使って、上下の各建物ユニットに跨る大きな窓等を形成することができる。
【００２２】
手段７．前記コ字状フレームは、上階側及び下階側の各建物ユニットにおいて各々の柱に連結されている手段６に記載の建物ユニット。
【００２３】
手段７によれば、上階側及び下階側の各建物ユニットにおける各柱にコ字状フレームが設けられているため、張出し部の前面の両コーナ部には柱がない状態となっている。これにより、開放感のある張出し部を上下に並べられた各建物ユニットに跨って設けることが可能となる。この場合、コ字状フレームが柱に連結されているため、その連結状態を安定させることができる利点がある。
【００２４】
手段８．前記コ字状フレームは、上階側及び下階側の各建物ユニットにおいて各々の上下梁間に連結されている手段６又は７に記載の建物ユニット。
【００２５】
手段７によれば、上階側及び下階側の各建物ユニットにおいて上下の各梁間にコ字状フレームが設けられているため、張出し部の前面の両コーナ部には柱がない状態となっている。これにより、開放感のある張出し部を上下に並べられた各建物ユニットに跨って設けることが可能となる。この場合、コ字状フレームを上下の梁に沿って連結箇所を変更することにより、張出し部の幅寸法を変更することができる利点がある。
【００２６】
手段９．前記上階側の建物ユニットに設けられる下梁のうち前記張出し部側の下梁と、前記下階側の建物ユニットに設けられる上梁のうち前記張出し部側の上梁とが設けられていない構成とした手段６乃至８のいずれか１つに記載の建物ユニット。
【００２７】
手段９によれば、上階側の建物ユニットにおける張出し部側の下梁と、下階側の建物ユニットにおける張出し部側の上梁とが設けられていない。すなわち、張出し部側において上建物ユニットと下建物ユニットとの間には梁がない構成となっている。したがって、より一層開放感のある張出し部を形成することが可能となる。
【発明を実施するための最良の形態】
【００２８】
［第１の実施形態］
以下に、第１の実施形態について図面を参照しつつ説明する。第１の実施形態は、２階部分に張出し部を備えた２階建てユニット建物を具現化したものである。なお、図１は第１の実施形態における張出し部を備えた建物ユニットを示す斜視図、図２は張出し部を示す平面図、図３は建物ユニットの配置を示す２階部分の平面図である。
【００２９】
図３に示すように、ユニット建物１１の２階部分は、いずれも同じ床面積を有する４つの建物ユニット１３，１４，１５，１６を用いて構築されている。各建物ユニット１３〜１６は、必ずしもユニットごとに区画された空間部（居室）を形成するものではなく、隣接する各ユニットを跨ぐようにして空間部（居室）が形成されている。本実施形態では、建物ユニット１３に、張出し部３０を形成する張出しユニット２１が設けられており、建物ユニット１３〜１５及び張出しユニット２１によって１つの居室が形成されるようになっている。図３には、その居室空間Ａを破線枠により示している。これにより、間取りの自由度が高められている。
【００３０】
張出しユニット２１には、両側出隅部において柱が配されていない状態で両側面及び前面に窓２０が設けられている。これにより、開放感のある居室空間Ａが形成されている。この居室空間Ａは、張出しユニット２１による形成空間分だけ建物外方に拡張された空間となっている。
【００３１】
以下に、建物ユニット１３及び張出しユニット２１の構成について詳しく説明する。
【００３２】
図１に示すように、建物ユニット１３は、その四隅に配された柱１７を有しており、各柱１７の上端部が４本の天井大梁１８により連結され、下端部が４本の床大梁１９により連結されている。それらの連結は溶接により行われている。なお、連結の手法は溶接に限定されずボルトによる連結固定であってもよい。
【００３３】
そして、柱１７、天井大梁１８及び床大梁１９により直方体状の骨格（フレーム）が形成されている。柱１７は四角筒状の角形鋼よりなる。天井大梁１８及び床大梁１９は断面コ字状の溝形鋼よりなり、その開口部が向き合うようにして設置されている。建物ユニット１３の長辺部の相対する天井大梁１８間や床大梁１９間には、周知の天井小梁や床大梁がそれぞれ連結されるようになっている。そして、建物ユニット１３は、柱１７等よりなる骨格に周知の天井面材や床面材等の内装材や壁パネル等の外装材が取り付けられることにより構成されている。
【００３４】
一方、張出しユニット２１は、平面視において略コ字状をなす一対のコ字状フレーム２２、上鼻先梁２３、下鼻先梁２４、上補強梁２５及び下補強梁２６を備えている。コ字状フレーム２２、上下の各鼻先梁２３，２４及び上下の各補強梁２５，２６は、いずれも断面コ字状の溝形鋼により構成されている。また、上下の各鼻先梁２３，２４及び上下の各補強梁２５，２６は直線状に形成されている。
【００３５】
各コ字状フレーム２２は、柱部２２ａとその柱部２２ａの両端から同一方向へ略直角に延びる上梁部２２ｂ及び下梁部２２ｃとを有している。上梁部２２ｂ及び下梁部２２ｃの長さ寸法は同一とされている。これにより、窓２０を略垂直に設けることが容易となっている。
【００３６】
これらのコ字状フレーム２２は、柱部２２ａが上下方向に延びかつ上梁部２２ｂ及び下梁部２２ｃが建物ユニット１３に対して反対側に向くように当該建物ユニット１３に連結されている。また、各コ字状フレーム２２は、開口部が向き合うように離間対向して連結されている。これにより、張出し部３０の両側出隅部には、柱が配されていない状態となっている。
【００３７】
離間対向している上梁部２２ｂ間には、その先端側に上鼻先梁２３が連結され、その基端側に上補強梁２５が連結されている。上鼻先梁２３と上補強梁２５とは、その開口部が向き合うようにして設置されている。また、離間対向している下梁部２２ｃ間には、その先端側に下鼻先梁２４が連結され、その基端側に下補強梁２６が連結されている。下鼻先梁２４と下補強梁２６とは、その開口部が向き合うようにして設置されている。これにより、張出しユニット２１の剛性が高められている。
【００３８】
張出しユニット２１は、コ字状フレーム２２等により構成された骨格に周知の内装材や外装材が取り付けられることにより構成されている。これにより、張出し部３０の室内空間が形成されている。
【００３９】
ここで、張出し部３０に住人等が入ることにより加わる荷重は、建物ユニット１３が負担する構成となっている。このため、張出しユニット２１の下部には、その荷重を支える柱等の構造部材を設ける必要がない。したがって、張出しユニット２１は、建物ユニット１３に対して単独で設置されている。
【００４０】
次に、建物ユニット１３と張出しユニット２１との連結構造について詳しく説明する。
【００４１】
図２に示すように、一対のコ字状フレーム２２のうち一方のコ字状フレーム２２は、プレート２７を介して柱１７に連結されている。具体的には、プレート２７は、柱１７とコ字状フレーム２２の柱部２２ａとの間に柱１７の延びる方向に所定間隔をおいて複数設けられている。そして、コ字状フレーム２２は、その柱部２２ａ、プレート２７及び柱１７にボルト等がねじ込まれることにより連結されている。これにより、コ字状フレーム２２は、柱１７との連結部位が複数確保され、その連結状態を安定保持することが可能となっている。
【００４２】
他方のコ字状フレーム２２は、柱部２２ａの上下両端が天井大梁１８及び床大梁１９にそれぞれ当接された状態で、その当接部位にてボルト等により連結されている。
【００４３】
上鼻先梁２３は、上梁部２２ｂ間の先端側に設置された状態で、断面略Ｌ字状のアングル２８を介して各上梁部２２ｂに連結されている。具体的には、アングル２８は、上梁部２２ｂ及び上鼻先梁２３の各開口部に跨るようにして取り付けられている。そして、アングル２８の両辺と上梁部２２ｂ及び上鼻先梁２３との各当接部位にてボルト等によりそれぞれ連結されている。同様にして、上補強梁２５、下鼻先梁２４及び下補強梁２６においても、それぞれ上梁部２２ｂ間又は下梁部２２ｃ間に設置された状態でアングル２８を介して連結されている。
【００４４】
上記説明した張出しユニット２１は、現場において建物ユニット１３に取り付けられるようになっている。以下に、その取付方法について図１を参照して説明する。
【００４５】
最初に、建物ユニット１３に対して離間対向するように一対のコ字状フレーム２２を連結する。具体的には、一方のコ字状フレーム２２を、プレート２７を介して柱１７に連結し、他方のコ字状フレーム２２を、天井大梁１８と床大梁１９とに跨るようにして各大梁１８，１９に連結する。この場合、コ字状フレーム２２を上梁部２２ｂ及び下梁部２２ｃが建物ユニット１３に対して反対側へ向くように連結する。
【００４６】
次に、上梁部２２ｂ間及び下梁部２２ｃ間の各基端側に上補強梁２５及び下補強梁２６を、アングル２８を介してそれぞれ連結する。この場合、上下の各補強梁２５，２６を、その開口部が建物ユニット１３に対して反対側を向くようにして配置する。
【００４７】
次に、上梁部２２ｂ間及び下梁部２２ｃ間の各先端側に上鼻先梁２３及び下鼻先梁２４を、アングル２８を介してそれぞれ連結する。この場合、上下の各鼻先梁２３，２４を、その開口部が建物ユニット１３側に向くようにして配置する。これにより、上鼻先梁２３と上補強梁２５とはその開口部が向き合うようにして配置される。同様に下鼻先梁２４と下補強梁２６とにおいても、その開口部が向き合うようにして配置される。
【００４８】
上記説明した取付方法では、張出し部３０の幅寸法に変更が生じた場合であっても対応することが可能である。すなわち、各コ字状フレーム２２をその変更された幅寸法に応じて建物ユニット１３に連結する。そして、コ字状フレーム２２間の幅寸法に合う上鼻先梁２３等の補強フレームを用い、それら上鼻先梁２３等の補強フレームを上梁部２２ｂ間及び下梁部２２ｃ間にそれぞれ連結すればよい。この場合、上各鼻先梁２３等の補強フレームの長さ寸法に誤差が生じたとしても、アングル２８を介して連結するため、アングル２８がその誤差を吸収し好適に連結することができる。
【００４９】
このような取付方法により張出しユニット２１が構築され、ユニット建物１１の２階部分に張出し部３０が設けられることとなる。
【００５０】
以上説明した構成及び作用により、第１の実施形態のユニット建物では、以下に示す有利な効果が得られる。
【００５１】
張出し部３０は、コ字状フレーム２２を含めて構成されている。この場合、張出し部３０の両出隅部に柱がない構成が実現できるため、開放感のある張出し部３０を形成することが可能となる。また、張出し部３０においては、コ字状フレーム２２による水平方向延長分だけ建物外方に室内空間を拡張することができる。
【００５２】
また、各コ字状フレーム２２を張出し部３０側の天井大梁１８及び床大梁１９に沿って連結箇所を変更することにより、張出し部３０の幅寸法を変更することが可能となる。その結果、設計の自由度を確保しつつ、開放感のある張出し部３０を形成することができる。
【００５３】
各コ字状フレーム２２の上梁部２２ｂ間及び下梁部２２ｃ間には、上下の各鼻先梁２３，２４及び上下の各補強梁２５，２６がそれぞれ連結されている。これにより、張出し部３０の剛性を向上させることが可能となる。
【００５４】
各コ字状フレーム２２と上鼻先梁２３等の補強フレームとは、アングル２８を介して連結されている。これにより、コ字状フレーム２２及び上鼻先梁２３等の補強フレームに製造誤差が生じた場合でも両フレームを好適に連結することが可能となる。
【００５５】
［第２の実施形態］
第１の実施形態では、ユニット建物１１の２階部分に張出し部３０を設けたが、必ずしも単一階に設ける必要はない。そこで、第２の実施形態では、１階部分及び２階部分に跨って張出し部を設ける構成について説明する。図４は第２の実施形態における張出し部を備えた建物ユニットを示す斜視図、図５（ａ）は１階部分における建物ユニットの配置を示す平面図、（ｂ）は２階部分における建物ユニットの配置を示す平面図である。なお、第１の実施形態との相違点を中心に説明する。
【００５６】
最初に、図５（ａ）（ｂ）に示すユニット建物の概要について説明する。ユニット建物３１は、１階部分３２と２階部分３３とを備えており、１階部分３２は、６つの建物ユニット３４〜３９を用いて構築され、同様に、２階部分３３も６つの建物ユニット４０〜４５を用いて構築されている。
【００５７】
１階部分３２及び２階部分３３において、建物ユニット３９及び建物ユニット４５には、張出し部５８を形成するための張出しユニット５２，５５がそれぞれ設けられている。これにより、建物ユニット３９（又は建物ユニット４５）からなる居室空間よりも拡張された居室空間Ｂが形成されている（図５（ａ）（ｂ）の破線Ｂ）。なお、本実施形態での居室空間Ｂは、吹き抜け構造として構成されている。
【００５８】
張出し部５８は、張出しユニット５２，５５の両ユニットに跨る開口部５９を備えており、その開口部５９には窓６０が設けられている。これにより、開放感のある居室空間Ｂが形成されている。
【００５９】
以下に、建物ユニット３９，４５及び張出しユニット５２，５５の構成について説明する。
【００６０】
図４に示すように、建物ユニット３９，４５は、その四隅に配された柱４６，４９を有しており、各柱４６，４９の上端部が４本の天井大梁４７，５０により連結され、下端部が４本の床大梁４８，５１によりそれぞれ連結されている。
【００６１】
１階側の張出しユニット５２は、柱部５３ａ、上梁部５３ｂ及び下梁部５３ｃを有する一対のコ字状フレーム５３と下鼻先梁５４とを備えている。一対のコ字状フレーム５３は、１階側の建物ユニット３９において屋外側の長辺部に配置されている２本の各柱４６にそれぞれ連結されている。各コ字状フレーム５３は、上梁部５３ｂ及び下梁部５３ｃが建物ユニット３９に対して反対側に向いた状態でその建物ユニット３９に連結されている。離間対向している下梁部５３ｃ間には、その先端側に下鼻先梁５４が連結されている。
【００６２】
２階側の張出しユニット５５は、柱部５６ａ、上梁部５６ｂ及び下梁部５６ｃを有する一対のコ字状フレーム５６と上鼻先梁５７とを備えている。一対のコ字状フレーム５６は、２階側の建物ユニット４５において屋外側の長辺部に配置されている２本の各柱４９にそれぞれ連結されている。各コ字状フレーム５６は、上梁部５６ｂ及び下梁部５６ｃが建物ユニット４５に対して反対側に向いた状態でその建物ユニット４５に連結されている。離間対向している上梁部５６ｂ間には、その先端側に上鼻先梁５７が連結されている。
【００６３】
コ字状フレーム５３の上下の各梁部５３ｂ，５３ｃとコ字状フレーム５６の上下の各梁部５６ｂ，５６ｃとは、その長さ寸法が同一とされている。これにより、開口部５９を１階及び２階に連続して設けることが可能となっている。
【００６４】
上記構成では、１階部分においてコ字状フレーム５３の上梁部５３ｂ間には上鼻先梁が連結されておらず、また、２階部分においてコ字状フレーム５６の下梁部５６ｃ間には下鼻先梁が連結されていない。これにより、１階及び２階に跨る開口部５９を設けることが可能となっている。また、窓６０の高さ方向の中途位置には梁がないため、開放感のある張出し部５８を形成することが可能となっている。
【００６５】
ここで、上記のとおり張出し部５８には、１階部分と２階部分との間に上下の各鼻先梁が配されていない。そこで、張出し部５８の剛性を高めるべく、コ字状フレーム５３の上梁部５６ｂとコ字状フレーム５６の下梁部５６ｃとは、隣接する各フランジにボルトがねじ込まれることにより連結されている。また、その他の方法として、各コ字状フレーム５３，５６の上梁部５３ｂ，５６ｂ間や下梁部５３ｃ，５６ｃ間の基端側に補強梁を設けてもよい。これにより、張出しユニット５２，５５の剛性をより一層向上させることが可能となる。
【００６６】
以上説明した構成及び作用により、第２の実施形態のユニット建物３１では、以下に示す有利な効果が得られる。
【００６７】
建物ユニット３９，４５には、上鼻先梁が配されていない張出しユニット５２と下鼻先梁が配されていない張出しユニット５５がそれぞれ連結されている。これにより、１階及び２階に跨る開口部５９を設けることが可能となる。
【００６８】
コ字状フレーム５３，５６は、各柱４６，４９に連結されている。また、コ字状フレーム５３とコ字状フレーム５６とは、上梁部５３ｂ及び下梁部５６ｃにおいて連結されている。これにより、張出し部５８の剛性を向上させることが可能となる。
【００６９】
［第３の実施形態］
第１の実施形態では、コ字状フレーム２２を鉛直方向に設けるとともに、直線状の上鼻先梁２３や上補強梁２５を一対のコ字状フレーム２２間に設けたが、この構成を変更する。本第３の実施形態では、平面視において略コ字状をなす鼻先梁を、コ字状フレーム２２間に設ける構成について説明する。すなわち、コ字状フレーム２２を水平方向にも設ける構成について説明する。
【００７０】
図６（ａ）（ｂ）は第３の実施形態における水平コ字状フレームを示す一部斜視図、図７（ａ）はコ字状フレーム２２と水平コ字状フレームとの連結状態を示す一部縦断面図、図７（ｂ）は天井大梁１８と水平コ字状フレームとの連結状態を示す一部平面図である。なお、第１の実施形態と同一の構成は同一符号を付して説明を省略し、第１の実施形態との相違点を中心に説明する。
【００７１】
図６（ａ）（ｂ）に示すように、張出しユニット６２は、前記同様、一対のコ字状フレーム２２を備えており（図では一方のみを示す）、その上梁部２２ｂ間には、水平コ字状フレーム６３が架け渡されている。水平コ字状フレーム６３は、天井大梁１８に沿って略水平に延びる水平部６３ａと、その水平部６３ａの両端から同一方向へ略直角に延びる上梁部６３ｂとを有している。
【００７２】
図７（ａ）に示すように、水平コ字状フレーム６３の幅寸法Ｌ１（図の上下方向寸法）は、コ字状フレーム２２の上梁部２２ｂの幅寸法Ｌ２よりも小さく設定されている。そのような水平コ字状フレーム６３は、その上梁部６３ｂが建物ユニット１３に対して反対側に向いた状態でコ字状フレーム２２の各上梁部２２ｂの開口部に配置されている。そして、コ字状フレーム２２の上梁部２２ｂのウェブ面と水平コ字状フレーム６３の上梁部６３ｂのウェブ面とが当接され、その当接部位にてボルトにより連結されている。これにより、コ字状フレーム２２と水平コ字状フレーム６３との間に形成される角度が安定保持され、張出しユニット６２の変形が抑制されるようになっている。
【００７３】
図７（ｂ）に示すように、水平コ字状フレーム６３の水平部６３ａの背面側（建物ユニット１３側）には、スペーサ６４が水平部６３ａの延びる方向に所定間隔をおいて複数取り付けられている。スペーサ６４は溝形鋼によって構成されており、その開口部が水平コ字状フレーム６３側を向くように取り付けられている。そして、水平コ字状フレーム６３は、スペーサ６４のウェブ面が建物ユニット１３の天井大梁１８に当接された状態でその当接部位にてボルトにより連結されている。これにより、水平コ字状フレーム６３と天井大梁１８との間に隙間が生じている場合でも、水平コ字状フレーム６３を天井大梁１８に対して好適に連結することが可能となっている。
【００７４】
水平コ字状フレーム６３は、上梁部２２ｂ間だけでなく下梁部間にも設けられている。すなわち、張出しユニット６２は、それを形成する全ての構造材がコ字状フレーム（コ字状フレーム２２及び水平コ字状フレーム６３）により構成されている。これにより、張出しユニット６２の剛性がより一層高められている。
【００７５】
以上説明した構成及び作用により、第３の実施形態のユニット建物では、以下に示す有利な効果が得られる。
【００７６】
コ字状フレーム２２の上梁部２２ｂ間及び下梁部２２ｃ間には、水平コ字状フレーム６３がそれぞれ設けられている。これにより、張出しユニット６２の剛性を高めることが可能となる。この場合、第１の実施形態のように例えばコ字状フレーム２２と上鼻先梁２３とを略直角に連結するためのアングル２８等の連結部材が不要となる利点もある。
【００７７】
［他の実施形態］
以上説明した各実施形態に限らず、例えば以下に別例として示した形態で実施することもできる。
【００７８】
第１の実施形態では、一対のコ字状フレーム２２のうち一方を建物ユニット１３の柱１７に連結するとともに、他方を天井大梁１８と床大梁１９との間に連結したが、両方のコ字状フレーム２２をいずれも柱１７（左右２つの柱１７）にそれぞれ連結したり、両方のコ字状フレーム２２をいずれも天井大梁１８と床大梁１９との間に連結したりすることも可能である。
【００７９】
第１の実施形態では、２本のコ字状フレーム２２を用いて張出しユニット２１を構成したが、特定の本数に限定されることはなく、例えば建物ユニット１３において張出し部３０側の２本の各柱１７と、これら両コ字状フレーム２２間の中途位置とにコ字状フレーム２２を設けることも可能である。このような構成でも、張出しユニット２１の前面には柱がなく、開放感のある張出し部３０を形成することができる。また、この場合、張出しユニット２１の剛性を向上させることも可能である。
【００８０】
第２の実施形態では、１階側の建物ユニット３９において一対のコ字状フレーム５３を各柱４６にそれぞれ連結したが、一対のコ字状フレーム５３のうち一方又は両方を天井大梁４７と床大梁４８との間に架け渡すことも可能である。同様に、２階側の建物ユニット４５においても、一対のコ字状フレーム５６のうち一方又は両方を天井大梁５０と床大梁５１との間に架け渡すことも可能である。この場合、１階部分と２階部分とに設けられる張出し部５８は、同一の大きさ（床面積）でなくてもよいし、上下に連続していなくてもよい。
【００８１】
第２の実施形態では、１階の建物ユニット３９の長辺部において張出し部５８側に天井大梁４７を設けるとともに、２階の建物ユニット４５の長辺部において張出し部５８側に床大梁５１を設ける構成としたが、これら天井大梁４７と床大梁５１とを取り外すことも可能である。これによれば、より一層、開放感のある張出し部５８を形成することができる。
【００８２】
第２の実施形態では、張出し部５８の前面に開口部５９を設けたが、一方の側面から前面を介して他方の側面に至る開口部５９を設けることも可能である。
【００８３】
第２の実施形態では、１階の建物ユニット３９と２階の建物ユニット４５とに跨るようにして開口部５９を設けたが、特定の階数に限定されず、例えば３階建て建物において、２階部分及び３階部分を構成する建物ユニットに跨るようにして開口部５９を設けることも可能である。
【００８４】
第３の実施形態では、上下の各補強梁２５，２６を水平コ字状フレーム６３に変更した実施例について説明したが、上下の各鼻先梁２３，２４を水平コ字状フレームとして構成することも可能である。これにより、張出しユニット６２の剛性をより一層向上させることが可能となる。
【００８５】
上記各実施形態では、コ字状フレーム２２，５６は、柱部２２ａ，５６ａの両端からその柱部２２ａ，５６ａに対して略直角に延びるように上梁部２２ｂ，５６ｂ及び下梁部２２ｃ，５６ｃを形成したが、特定の角度に限定されることはない。例えば、図８に示すように、コ字状フレーム７１の上梁部７１ｂを、勾配屋根を形成する垂木フレーム７２の勾配に応じて下方に傾斜させてもよい。この場合、勾配屋根を備えたユニット建物において、上梁部７１ｂと垂木フレーム７２とを面接触させた状態で連結することができ、その連結状態を安定保持することが可能となる。
【図面の簡単な説明】
【００８６】
【図１】第１の実施形態における張出し部を備えた建物ユニットを示す斜視図。
【図２】張出し部を示す平面図。
【図３】建物ユニットの配置を示す平面図。
【図４】第２の実施形態における張出し部を備えた建物ユニットを示す斜視図。
【図５】（ａ）１階部分における建物ユニットの配置を示す平面図、（ｂ）２階部分における建物ユニットの配置を示す平面図。
【図６】（ａ）（ｂ）第３の実施形態における水平コ字状フレームを示す斜視図。
【図７】（ａ）コ字状フレームと水平コ字状フレームとの連結状態を示す縦断面図、（ｂ）建物ユニットと水平コ字状フレームとの連結状態を示す平面図。
【図８】コ字状フレームの別例を示す側面図。
【符号の説明】
【００８７】
１１…ユニット建物、１３〜１６…建物ユニット、１７…柱、１８…上梁としての天井大梁、１９…下梁としての床大梁、２１…張出しユニット、２２…コ字状フレーム、２３…架設材としての上鼻先梁、２４…架設材としての下鼻先梁、２５…架設材としての上補強梁、２６…架設材としての下補強梁、２８…連結部材としてのアングル、３０…張出し部、３４〜４５…建物ユニット、５２，５５…張出しユニット、５３，５６…コ字状フレーム、６３…水平コ字状フレーム。
【図１】
0005001733.tif 000002
【図２】
0005001733.tif 000003
【図３】
0005001733.tif 000004
【図４】
0005001733.tif 000005
【図５】
0005001733.tif 000006
【図６】
0005001733.tif 000007
【図７】
0005001733.tif 000008
【図８】
0005001733.tif 000009